(57)【特許請求の範囲】
【請求項１】
挿入部と、この挿入部に連接された操作部と、操作部側から挿入部内に配置されたチャンネルチューブと、チャンネルチューブの外周に嵌装したコイル体とを有する内視鏡において、チャンネルチューブの操作部側接続端は操作部に取着された接続体に被着し、さらに接続端には締付け面を有する押さえ部材が被嵌し、この押さえ部材に嵌合する固定部材が前記接続体に螺合し、前記固定部材をねじ込むことにより前記押さえ部材を介して前記接続体にチャンネルチューブの接続端を締付け固定すると共に、前記固定部材の締付け回転する方向が前記コイル体の巻き方向と同じく構成したことを特徴とする内視鏡。
【発明の詳細な説明】
【０００１】
【発明の属する技術分野】
本発明は、外周にコイル体を巻装したチャンネルチューブを有する内視鏡に関する。
【０００２】
【従来の技術】
従来、実公昭６３−１７４４８号公報において、可撓性チューブの外周に、コイル体を巻装して構成された内視鏡用チャンネルチューブが提案されている。この種のチャンネルチューブは操作部内にある接続口金に一端を被嵌し、その接続端部にテーパ管を介してナットで締め付けることにより固定されるのが普通である。
【０００３】
【発明が解決しようとする課題】
操作部内の接続口金にチャンネルチューブの基端を被嵌し、テーパ管を介してナットで締め付けて固定する際、摩擦力でチャンネルチューブもナットの回転方向へ多少とも捩じられる。この捩じれ方向が、チャンネルチューブの外周に嵌装したコイル体の巻き方向と異なるため、チャンネルチューブの捩じれによってコイル体はその内径が広がる状態となり、その結果、チャンネルチューブの外周からコイル体が浮き上がって剥離する傾向になり、その結果、コイル体の補強機能が損なわれ、チャンネルチューブの耐性が低下するという不具合が起きる虞があった。
【０００４】
本発明は前記課題に着目してなされたもので、その目的とするところはコイル体による補強機能が損なわれることを防止し、チャンネルチューブの耐性を確保し、かつ向上した内視鏡を提供することにある。
【０００５】
【課題を解決するための手段および作用】
本発明は、挿入部と、この挿入部に連接された操作部と、操作部側から挿入部内に配置されたチャンネルチューブと、チャンネルチューブの外周に嵌装したコイル体とを有する内視鏡において、チャンネルチューブの操作部側接続端は操作部に取着された接続体に被着し、さらに接続端には締付け面を有する押さえ部材が被嵌し、この押さえ部材に嵌合する固定部材が前記接続体に螺合し、前記固定部材をねじ込むことにより前記押さえ部材を介して前記接続体にチャンネルチューブの接続端を締付け固定すると共に、前記固定部材の締付け回転する方向が前記コイル体の巻き方向と同じく構成したものである。
固定部材の締付け回転する方向が前記コイル体の巻き方向と同じく構成したので、固定部材を締め付けて固定する際の摩擦力で、チャンネルチューブが固定部材の回転方向へ捩じられてもコイル体はその内径が広がらず、チャンネルチューブの外周からコイル体が浮き上がって剥離する傾向になることが防止できる結果、コイル体の補強機能を確保する。
【０００６】
【発明の実施の形態】
＜第１実施形態＞
図１乃至図７を参照して本発明の第１実施形態を説明する。図１で示す如く、内視鏡１は操作部２と挿入部３とユニバーサルコード４により内視鏡本体を構成して成る。操作部２には接眼部５、送気送水切換弁６、吸引切換弁７が設けられ、さらに把持部８の下端部、すなわち挿入部３との接続端側部分には処置具用挿入口９が設けられている。
【０００７】
挿入部３内にはその全長にわたって、チャンネルチューブ１０が挿通されている。このチャンネルチューブ１０の基端は操作部２内の下端部付近で、後述する接続体としての接続部材１１に連結され、チャンネルチューブ１０はその接続部材１１を介して前記処置具用挿入口９と吸引チューブ１２との両方に接続されている。吸引チューブ１２の中途部には前記吸引切換弁７が介装されている。吸引チューブ１２の他端は操作部２内からユニバーサルコード４内を通じて、ユニバーサルコード４の延出先端にあるコネクタ１５に設けられた口金１６に接続されている。
【０００８】
前記挿入部３は基端側から可撓管２１、湾曲部２２、及び先端構成部２３の順に連結して成り、これは生体内に挿入する部分となっている。これらの概略的な構成を説明する。
まず、湾曲部２２は、図２及び図５で示す如く、複数の環状駒部材２６を挿入部３の長手軸方向に沿って並べ、駒部材２６の耳部２７を隣接する他の駒部材２６に対応する耳部２７にそれぞれ重ね合せ、各耳部２７に形成した枢支用孔２８を一致させ、この孔２８にリベット状の枢支ピン２９を嵌め込んで取り付けることにより各駒部材２６相互を枢着し、各駒部材２６をそれぞれ回動自在に連結して構成したものである。
各々の隣り合う駒部材２６を回動湾曲させたときに駒部材２６の互いに突き当たる当接部分３０の少なくとも一方には他方の駒部材２６のものに突き当たる湾曲量調整用凸部３１が設けられている。
【０００９】
これらの駒部材２６の外周には管状ブレード２４と外皮チューブ２５が重ねて被嵌されている。また、各駒部材２６にはワイヤガイド３２が設けられ、このワイヤガイド３２のガイド孔３３にはアングルワイヤ３４が挿通させられている。アングルワイヤ３４の先端は先端構成部２３または最先端の駒部材２６に取付け固定されている。
【００１０】
さらに前記先端構成部２３には外部に開口する通孔（チャンネル口）３５が形成され、この通孔３５には前記チャンネルチューブ１０の先端が嵌め込まれて取着固定されている。先端構成部２３には対物レンズ系３６等が設けられている。
【００１１】
挿入部３内には、前記チャンネルチューブ１０やアングルワイヤ３４の他、イメージガイドファイバ束３７やライトガイドファイバ束３８が挿入配置されている。
イメージガイドファイバ束３７の先端は先端構成部２３に取付け固定されると共に、前記対物レンズ系３６に対し光学的に接続されている。図３で示す如く、ライトガイドファイバ束３８の先端は先端構成部２３に設けた口金４１を介して取り付けられている。ライトガイドファイバ束３８の外周には例えばシリコンを素材とした外装チューブ４２が被覆されており、外装チューブ４２の先端は口金４１の外周に被嵌固定されている。
【００１２】
前記口金４１の後端部外周には、第１の段部５１と第２の段部５２が設けられている。そして、第１の段部５１には外装チューブ４２の先端が被嵌して糸巻き固定されている。さらに、外装チューブ４２の外周には保護チューブ４３が被覆されており、保護チューブ４３の先端は口金４１の第２の段部５２に被嵌して糸巻き固定されている。
【００１３】
前記チャンネルチューブ１０の外周には図４で示す如く、１条右巻きとしたコイル体５５を嵌装してあり、コイル体５５は挿入部３における湾曲部２２内でその湾曲部２２の領域にほぼ対応して位置するチャンネルチューブ１０の外周部分のみに嵌装されている。また、コイル体５５が巻装するチャンネルチューブ１０の領域の第１の外周部分１０ａの外径Ｄ1 は、コイル体５５を嵌装させない基端側に位置する第２の外周部分１０ｂの外径Ｄ2 より小さく形成されている。チャンネルチューブ１０の内径Ｄ3 は全長にわたり等しい。
【００１４】
次に、操作部２の接続部材１１の関連構造を、図６及び図７を参照して説明する。前記接続部材１１は操作部２のフレーム６１の内面にねじ６２によってねじ止め固定されている。接続部材１１は分岐通路６３を有する基部６４と、この基部６４に一体に取り付けられ、内部通路６５を有し、中途部を前記分岐通路６３に連通させた管体６６とによって構成されている。接続部材１１は、分岐通路６３の開口部６７が、操作部２の把持カバー７１の下端部周壁に設けられた枝部７１ａの取付け孔７２に対向するようにフレーム６１に取り付けられている。管体６６の基端側に位置する開口部には吸引チューブ１２の先端が接続されている。管体６６の先端側に位置する開口部には前記チャンネルチューブ１０の手元側基端が接続されている。
図７で示す如く、前記管体６６の先端には接続管７５の一端が被嵌して接続固定され、この接続管７５の他端部からなる先端部は段差を付けて細くしたテーパ状の接続端部７６を形成している。接続端部７６の外周面に被嵌する、チャンネルチューブ１０の端部外周には押さえ部材としての押えリング７７が被嵌され、この押えリング７７は接続管７５に螺合するナット状の孔付固定部材７８によって締め付けられる。そして、押えリング７７はこれの内面に形成したテーパ状の押さえ面部７９によってチャンネルチューブ１０の端部外周を締付け固定するようになっている。接続管７５の基端部外周には雄ネジ８１が設けられ、この雄ネジ８１には固定部材７８の内面に形成した雌ネジ８２が螺合している。雄ネジ８１と雌ネジ８２はいずれも左ネジとなっており、挿入部３側から操作部２に向かって固定部材７８を左回転させることによりその固定部材７８は押えリング７７を軸方向基端側へ押し込み、接続端部７６にチャンネルチューブ１０を押し付け、チャンネルチューブ１０を締付け固定する様になっている。本実施形態ではコイル体５５の巻き方向と固定部材７８の締め付け方向が同じになっている。
【００１５】
（作用）
接続部材１１の接続管７５にチャンネルチューブ１０を接続する場合、そのテーパ状の接続端部７６にチャンネルチューブ１０の基端部分を被嵌し、その上に押えリング７７と固定部材７８を順に被せ、接続管７５に固定部材７８をねじ込むことにより押えリング７７を介してチャンネルチューブ１０を締め付けて固定する。この際、挿入部３側から操作部２に向かって固定部材７８を左回転させることにより固定部材７８がねじ込まれるとき、チャンネルチューブ１０も摩擦力で、固定部材７８の回転方向へ多少とも捩じられることがあり得る。しかし、チャンネルチューブ１０の先端側に嵌装されたコイル体５５は操作部２側から内視鏡先端に向かって右巻きのコイルとしたから方向が同じであり、チャンネルチューブ１０が捩じられてもコイル体５５の巻き付き力を高めてもコイル体２５の内径が広がることはない。つまり、同じ向きから見て、コイル体５５の巻き方向と固定部材７８の締付け方向が同じであるため、締付け方向にチャンネルチューブ１０を捩じって接続部材１１の接続管７５に固定しても、コイル体５５はその巻方向に変形し、コイル体５５の内径は小さくなるように動くだけである。これはチャンネルチューブ１０の外周はコイル体５５の内径部に密着するように作用する。従って、コイル体５５がチャンネルチューブ１０に対して浮いてしまうことがなく、チャンネルチューブ１０の耐性を向上させることができる。
【００１６】
また、図３で示す如く、ライトガイドファイバ束３８の外装チューブ４２と保護チューブ４３はそれらを固定する口金４１における糸巻き固定部の位置が異なるため、それらの糸巻き部の寸法が太くならない。
【００１７】
内視鏡１の操作部２におけるアングル操作によりアングルワイヤ３４を押し引きして湾曲部２２を引いた向きに湾曲させることができる。また隣り合う駒部材２６同志の片側の駒の当接部分３０の部分において凸部３１が設けられており、湾曲部２２の組立時、その凸部３１を削り、その削り量を調整することにより湾曲部２２に所望の湾曲形状を与えるようになっている。
【００１８】
＜第２実施形態＞
（構成）
この第２実施形態は前述した第１実施形態において、チャンネルチューブ１０の外周に外装するコイル体５５が左巻きのものが用いられる。また、接続管７５の雄ネジ８１、雌ネジ８２は通常の右ネジで構成され、コイル体５５の巻方向と、固定部材７８の締め付け方向とが同じになる様に構成される。
【００１９】
（作用、効果）
第１実施形態同様、チャンネルチューブ１０がねじられて固定されてもコイル体５５も巻方向に変形し、チャンネルチューブ１０の外周はコイル体５５に密着する様に作用し、チャンネルチューブ１０の耐性は確保され、かつ向上する。
【００２０】
＜第３実施形態＞
図８を参照して、本発明の第３実施形態を説明する。
（構成）
この第３実施形態は前述したような内視鏡１を体腔内に挿入する際の補助を行う内視鏡挿入補助具１００に係る。この内視鏡挿入補助具１００はシリコンゴムや合成樹脂などの可撓性材料で形成された挿入部用チューブ１０１を備えており、そのチューブ１０１の基端部には把持部１０２が設けられている。把持部１０２の外周には凹凸の溝１０３が形成されており、この溝１０３を設けたことによりチューブ１０１を把持しながらの挿入操作が容易になる。
【００２１】
また、チューブ１０１の先端部内周面にはゴム等の伸縮性の膜から成るバルーン１０５が接着等により気密に設けられている。バルーン１０５にはチューブ１０１の周壁の軸方向に沿って穿設された送気路１０６の一端が連通している。送気路１０６の他端にはチューブ１０１の基端側部分の外周面へと導かれ、接続管１０７の一端が接続されている。接続管１０７には送気手段としての例えば注射器１０８が接続される様になっている。接続管１０７の部分には逆止弁から構成される弁部１０９が設けられている。
【００２２】
（作用、効果）
大腸用内視鏡の挿入部１１０を大腸内に挿入する場合、この種の内視鏡挿入補助具１００を使用するが、内視鏡の挿入部１１０に沿ってチューブ１０１を挿入する。また、バルーン１０５内へ送気手段を接続して送気すれば、そのバルーン１０５が膨らみ、内視鏡の挿入部１１０とは密着部１１１で密着し、固定される。この状態で、チューブ１０１を前進させてもチューブ１０１と内視鏡の挿入部１１０との間には隙間がないので、大腸の体腔壁１１２を引き込むことがない。
【００２３】
チューブ１０１の抜去時は注射器１０８でバルーン１０５内の空気を吸引して除去し、バルーン１０５を収縮させることにより抜去が容易である。これにより体腔壁１１２を引き込む事に注意を払う必要がなく、容易な操作を行うことができる。
【００２４】
＜第４実施形態＞
図９を参照して、本発明の第４実施形態を説明する。
（構成）
この第４実施形態は前述した第３実施形態の変形例であり、チューブ１０１の先端部が球部１１５となっている点が相違する。チューブ１０１を内視鏡の挿入部１１０に挿入する際、チューブ１０１はその球部１１５の密着部１１６にて内視鏡の挿入部１１０の外周と密着している。その他は前述した第３実施形態のものと同様である。
【００２５】
（作用、効果）
チューブ１０１挿入時、体腔壁１１２を球部１１５で押し上げ、かつ内視鏡の挿入部１１０とチューブ１０１は球部１１５の密着部１１６で密着していることにより、体腔壁１１２を内視鏡の挿入部１１０とチューブ１０１との間に引き込むことがないという効果があるとともに、操作時に体腔壁１１２の引き込みに注意を払う必要がなく、容易に操作できるものを提供することができる。その他は前述した第３実施形態のものと同様である。
【００２６】
尚、チャンネルチューブ１０に設けるコイル体５５の望ましい設置位置は前述した実施形態の如く、湾曲部２２に対応位置した部位であり、このため、前述した実施形態ではそのチャンネルチューブ１０の対応部位にのみにコイル体５５を設けたが、本発明はこれに限らず、チャンネルチューブ１０の全長にわたり設けてもよいし、湾曲部２２と基端側部分とを設けたり、湾曲部２２と基端側部分と中間部に設けたりしてもよいものである。
前述した実施形態ではチャンネルチューブ１０が処置具挿通用チャンネルチューブと吸引チャンネルチューブを兼用しているが、処置具挿通用チャンネルのみ、あるいは吸引チャンネルまたは送気管路、送水管路といったチャンネルチューブにも適用することができる。
さらに、チャンネルチューブの形態は処置具挿通用チャンネルのみであれば分岐部は不要であり、そのチューブ接続部を処置具挿入口に接続するようにしてもよい。吸引管路ではチューブ接続部を切換え弁と接続するようにしてもよい。また、チャンネルチューブの基端側を太くして流量を確保するために、継手を介して基端側に太いチャンネルチューブを接続する構成のものでもよく、この場合、チャンネルチューブを接続する対象の接続体はその継手したものでもよい。ちなみに図６においてのチャンネルチューブは分岐部より操作部側が挿入部側より太くなっている。
【００２７】
［付記］
１．挿入部と、この挿入部に連接された操作部と、操作部側から挿入部内に配置されたチャンネルチューブと、チャンネルチューブの外周に嵌装したコイル体とを有する内視鏡において、チャンネルチューブの操作部側接続端は操作部に取着された接続体に被着し、さらに接続端には締付け面を有する押さえ部材が被嵌し、この押さえ部材に嵌合する固定部材が前記接続体に螺合し、前記固定部材をねじ込むことにより前記押さえ部材を介して前記接続体にチャンネルチューブの接続端を締付け固定すると共に、前記固定部材の締付け回転する方向が前記コイル体の巻き方向と同じであることを特徴とする内視鏡。
２．内視鏡の挿入部にスライド自在に外嵌される可撓性チューブと、このチューブの先端部内周面にバルーンを設け、上記可撓性チューブと内視鏡挿入部とがバルーン部にて密着する様にしたことを特徴とする内視鏡挿入補助具。
（従来とその課題）従来の内視鏡用挿入補助具はそのチューブ内径が内視鏡挿入部の最大径より大きい構成となっている。そのため、内視鏡使用時、内視鏡挿入部と挿入補助具の内径との間のすき間に腸等のひだが引き込まれてしまうおそれがあり、その操作に十分に注意を払う必要があったが、この付記第２項の発明によれば、その問題点を解消し、内視鏡の挿入操作を容易ならしめる内視鏡挿入補助具を提供することができる。
【００２８】
【発明の効果】
以上説明したように本発明によれば、チャンネルチューブのコイル体の巻き方向とチャンネルチューブを操作部内で接続部材へ固定するときの固定部材の締付け方向とが同じであることにより、チャンネルチューブを固定する際に締付け方向にチャンネルチューブがねじれて固定されてもそのコイル体がチャンネルチューブに対して浮いてしまうことがなく、チャンネルチューブの耐性を確保し、かつ向上させることができる。
【図面の簡単な説明】
【図１】第１実施形態に係る内視鏡の全体構成を概略的に示す説明図。
【図２】同じく第１実施形態に係る内視鏡の挿入部における先端部付近の断面図。
【図３】同じく第１実施形態に係る内視鏡のライトガイドファイバ束の先端部付近の断面図。
【図４】同じく第１実施形態に係る内視鏡のイメージガイドファイバ束の先端部付近の断面図。
【図５】同じく第１実施形態に係る内視鏡の湾曲部の構成説明図。
【図６】同じく第１実施形態に係る内視鏡のチャンネルチューブの接続部分Ａを示す操作部の断面図。
【図７】図６中、チャンネルチューブの接続部Ａの部分を示す縦断面図。
【図８】（ａ）は第３実施形態に係る内視鏡挿入補助具の縦断面図、（ｂ）はその内視鏡挿入補助具の使用説明図。
【図９】（ａ）は他の内視鏡挿入補助具の縦断面図、（ｂ）はその内視鏡挿入補助具の使用説明図。
【符号の説明】
１…内視鏡、２…操作部、３…挿入部、４…ユニバーサルコード、１０…チャンネルチューブ、１１…接続部材（連結体）、１２…吸引チューブ、２１…可撓管、２２…湾曲部、２３…先端構成部、５５…コイル体、６１…フレーム、６４…基部、６６…管体、７５…接続管、７６…接続端部、７７…押えリング、７８…固定部材、８１…雄ネジ、８２…雌ネジ。
【図１】
0003739515.tif 000002
【図２】
0003739515.tif 000003
【図３】
0003739515.tif 000004
【図４】
0003739515.tif 000005
【図５】
0003739515.tif 000006
【図６】
0003739515.tif 000007
【図７】
0003739515.tif 000008
【図８】
0003739515.tif 000009
【図９】
0003739515.tif 000010